【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
第１の記録媒体に記録されたデータを再生する再生手段と、
前記第１の記録媒体から再生されたデータを第２の記録媒体に記録する記録手段と、
前記第１の記録媒体に記録されたデータを指定する指定手段と、
前記第１の記録媒体に記録されたデータのうち前記指定手段により指定されたデータを前記第１の記録媒体から再生するよう前記再生手段を制御すると共に、前記再生されたデータを前記第２の記録媒体に記録するよう前記記録手段を制御するダビング処理を実行する制御手段とを有し、
前記制御手段は、前記ダビング処理が中断されると、前記指定手段により指定されたデータの削除または編集を禁止することを特徴とする記録再生装置。
【請求項２】
前記制御手段は、前記ダビング処理が中断されると、前記指定手段により指定されたデータのうち、前記ダビング処理が中断されたときに前記第２の記録媒体に記録されていないデータの削除または編集を禁止することを特徴とする請求項１記載の記録再生装置。
【請求項３】
前記第１の記録媒体に記録されたデータに対応する画像を表示画面上に表示させる表示手段をさらに有し、
前記制御手段は、前記ダビング処理が中断されると、前記指定手段により指定されたデータのうち、前記ダビング処理が中断されたときに前記第２の記録媒体に記録されていないデータに対応する画像を前記表示手段が表示する場合には、前記表示画面上の当該データに関連する位置に、当該データの前記第２の記録媒体への記録が完了していないことを示す、所定の画像を表示させるよう前記表示手段を制御することを特徴とする請求項２記載の記録再生装置。
【請求項４】
前記第２の記録媒体は前記記録再生装置に対して着脱可能であって、
前記制御手段は、前記ダビング処理が中断されると、前記第２の記録媒体の取出しを禁止することを特徴とする請求項１から３のいずれか１項記載の記録再生装置。
【請求項５】
前記制御手段は、前記ダビング処理が中断された後、前記第２の記録媒体を取出すための操作がされると、前記表示画面上に警告画面を表示させるよう前記表示手段を制御することを特徴とする請求項３または４記載の記録再生装置。
【請求項６】
前記制御手段は、前記ダビング処理が中断されたことに応じて、前記指定手段により指定されたデータのうち前記第２の記録媒体に記録されたデータを示す情報を生成することを特徴とする請求項１から５記載のいずれか１項に記載の記録再生装置。
【請求項７】
前記制御手段は、前記中断されたダビング処理を中止する指示が入力されたことに応じて、前記第２の記録媒体が追記型である場合には、前記第２の記録媒体の記録済み部分が使用できなくなる旨を警告することを特徴とする請求項１から６のいずれか１項に記載の記録再生装置。
【請求項８】
前記ダビング処理の中断は、前記第１の記録媒体または前記第２の記録媒体に対するデータの記録要求がされたことに応じて、実行されることを特徴とする請求項１から７のいずれか１項に記載の記録再生装置。
【請求項９】
前記制御手段は、前記ダビング処理が中断されたときから所定時間ユーザによる操作がない状態が続くと、前記ダビング処理を再開するかどうかをユーザに問い合わせる画面を前記表示画面上に表示させるよう前記表示手段を制御することを特徴とする請求項１から８記載の記録再生装置。
【請求項１０】
第１の記録媒体に記録されたデータを再生する再生手段と、
前記第１の記録媒体から再生されたデータを第２の記録媒体に記録する記録手段と、
前記第１の記録媒体に記録されたデータを指定する指定手段と、
を有する記録再生装置の制御方法であって、
制御手段が、前記第１の記録媒体に記録されたデータのうち前記指定手段により指定されたデータを前記第１の記録媒体から再生するよう前記再生手段を制御すると共に、前記再生されたデータを前記第２の記録媒体に記録するよう前記記録手段を制御するダビング処理を実行する制御工程と、
前記制御手段が、前記ダビング処理が中断されると、前記指定手段により指定されたデータの削除または編集を禁止する禁止工程とを有することを特徴とする記録再生装置の制御方法。
【請求項１１】
前記禁止工程において、前記制御手段は、前記ダビング処理が中断されると、前記指定手段により指定されたデータのうち、前記ダビング処理が中断されたときに前記第２の記録媒体に記録されていないデータの削除または編集を禁止することを特徴とする請求項１０記載の記録再生装置の制御方法。
【請求項１２】
前記記録再生装置は、前記第１の記録媒体に記録されたデータに対応する画像を表示画面上に表示させる表示手段をさらに有し、
前記制御手段が、前記ダビング処理が中断されると、前記指定手段により指定されたデータのうち、前記ダビング処理が中断されたときに前記第２の記録媒体に記録されていないデータに対応する画像を前記表示手段が表示する場合には、前記表示画面上の当該データに関連する位置に、当該データの前記第２の記録媒体への記録が完了していないことを示す、所定の画像を表示させるよう前記表示手段を制御する表示制御工程をさらに有することを特徴とする請求項１１記載の記録再生装置の制御方法。
【手続補正２】
【補正対象書類名】明細書
【補正対象項目名】発明の名称
【補正方法】変更
【補正の内容】
【発明の名称】記録再生装置及びその制御方法
【手続補正３】
【補正対象書類名】明細書
【補正対象項目名】０００１
【補正方法】変更
【補正の内容】
【０００１】
本発明は記録再生装置及びその制御方法に関し、特には複数の記録媒体間でのダビング処理が可能な記録再生装置及びその制御方法に関する。
【手続補正４】
【補正対象書類名】明細書
【補正対象項目名】００１０
【補正方法】変更
【補正の内容】
【００１０】
本発明はこのような従来技術の課題を解決するためになされたものである。本発明は、複数の記録媒体間で映像データをダビング処理可能な記録再生装置において、ダビング処理を他の処理の実行のために中断し、その後再開可能とすることを目的の１つとする。
【手続補正５】
【補正対象書類名】明細書
【補正対象項目名】００１１
【補正方法】変更
【補正の内容】
【００１１】
また、本発明の別の目的は、ダビング処理中であっても、新たな映像の記録が可能な記録再生装置を提供することにある。
【手続補正６】
【補正対象書類名】明細書
【補正対象項目名】００１２
【補正方法】変更
【補正の内容】
【００１２】
上述の目的は、第１の記録媒体に記録されたデータを再生する再生手段と、第１の記録媒体から再生されたデータを第２の記録媒体に記録する記録手段と、第１の記録媒体に記録されたデータを指定する指定手段と、第１の記録媒体に記録されたデータのうち指定手段により指定されたデータを第１の記録媒体から再生するよう再生手段を制御すると共に、再生されたデータを第２の記録媒体に記録するよう記録手段を制御するダビング処理を実行する制御手段とを有し、制御手段は、ダビング処理が中断されると、指定手段により指定されたデータの削除または編集を禁止することを特徴とする記録再生装置によって達成される。
【手続補正７】
【補正対象書類名】明細書
【補正対象項目名】００１３
【補正方法】変更
【補正の内容】
【００１３】
また、上述の目的は、第１の記録媒体に記録されたデータを再生する再生手段と、第１の記録媒体から再生されたデータを第２の記録媒体に記録する記録手段と、第１の記録媒体に記録されたデータを指定する指定手段と、を有する記録再生装置の制御方法であって、制御手段が、第１の記録媒体に記録されたデータのうち指定手段により指定されたデータを第１の記録媒体から再生するよう再生手段を制御すると共に、再生されたデータを第２の記録媒体に記録するよう記録手段を制御するダビング処理を実行する制御工程と、制御手段が、ダビング処理が中断されると、指定手段により指定されたデータの削除または編集を禁止する禁止工程とを有することを特徴とする記録再生装置の制御方法によっても達成される。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
このような構成により、本発明によれば、複数の記録媒体間で映像データをダビング処理可能な記録再生装置においてダビング処理を他の処理の実行のために中断し、その後再開することが可能となる。